(57)【要約】【課題】開閉部材を閉じた状態から開いてペントレイの形状に変形させた際に収容物が転がり落ちにくいペンケースを提供する。【解決手段】縁部１２が立ち上がるように成形されたエラストマーよりなり、トレイ状に形成された本体１と、前記本体１の縁部１２の一端から反対側の他端にかけて、前記縁部１２の上端１２ａに沿ってループ状に取り付けられた開閉部材２と、を有するペンケース１０が提供される。【選択図】図２
2019068898.tif 000002
【特許請求の範囲】
【請求項１】
周縁部が立ち上がった形状を保つように成形されたエラストマーよりなる本体と、
前記本体に取り付けられ前記周縁部の一方の側辺を他方の側辺と重ね合わせた状態に保つ開閉部材と、
を備えたことを特徴とするペンケース。
【請求項２】
前記開閉部材はスライドファスナーよりなり、該スライドファスナーは、第１の務歯を有する第１のテープと、前記第１の務歯に噛み合う第２の務歯を有する第２のテープとを備え、
前記第１のテープは前記周縁部の一方の側辺に取り付けられるとともに、前記第２のテープは前記周縁部の他方の側辺に取り付けられていることを特徴とする請求項１に記載のペンケース。
【請求項３】
前記スライドファスナーの両端にはスライダーの移動を止める上止部及び下止部が設けられており、
前記下止部は前記周縁部の一端において前記周縁部の外側に伸び出るよう折り曲げて取り付けられ、前記上止部は前記周縁部の内側に向けて折り曲げて取り付けられていることを特徴とする請求項２に記載のペンケース。
【請求項４】
前記第１のテープ及び第２のテープは前記周縁部の内側に重ね合わせて縫いつけられていることを特徴とする請求項３に記載のペンケース。
【請求項５】
前記本体の周縁部には、前記スライドファスナーのスライダーの動きを規制するスライダー規制手段が設けられていることを特徴とする請求項２乃至請求項４の何れか１項に記載のペンケース。
【請求項６】
前記開閉部材は、ボタン及びゴムバンドよりなることを特徴とする請求項１に記載のペンケース。
【発明の詳細な説明】
【技術分野】
【０００１】
本発明は、ペンケースに関する。
【背景技術】
【０００２】
従来のペンケースには、箱状又は袋状に形成された本体にファスナーやホックなどの開閉部材が設けられ、その開閉部材を開閉することにより、ペンケースの開口部を開閉するものがある。
【０００３】
また、収納した筆記具の取り出しを容易にするべく、開閉部材を開くとペントレイのように変形できるペンケースもある。
【先行技術文献】
【特許文献】
【０００４】
【特許文献１】実用新案登録第３２０９４０３号公報
【特許文献２】実用新案登録第３０７５８７１号公報
【特許文献３】特開２００５−５２５９０号公報
【特許文献４】実公昭３９−２９１０４号公報
【特許文献５】実開昭５２−１４４０３６号公報
【発明の概要】
【発明が解決しようとする課題】
【０００５】
従来のペントレイに変形可能なペンケースは、ペンケース本体の所定箇所に折り癖をつけることで、ペンケースの形態からペントレイの形態への変形を可能としている。
【０００６】
しかしながら、本体の折り癖によって、トレイの縁が十分な高さに立ち上がらないことがあり、変形させる際にペンなどの収容物が転落してしまうことがあった。
【０００７】
そこで、本発明は、ペントレイの形態に変形できるペンケースにおいて、ペントレイの形態に変形させる際に収容物が転落しにくいペンケースを提供することを課題とする。
【課題を解決するための手段】
【０００８】
以下の開示の一観点によれば、周縁部が立ち上がった形状を保つように成形されたエラストマーよりなる本体と、前記本体に取り付けられ前記周縁部の一方の側辺を他方の側辺と重ね合わせた状態に保つ開閉部材と、を備えたペンケースが提供される。
【発明の効果】
【０００９】
上記観点のペンケースによれば、開閉部材を開くと、本体を構成するエラストマーの弾性的な復元力により折り癖が付くことなく周縁部が立ち上がったペントレイの形態に変形できる。
【００１０】
その際に、ペンケース内の収容物を本体の周縁部が包み込んだ状態から周縁部が立ち上がったペントレイの形態にスムーズに変形するため、収容物の転がり落ちを防止できる。
【図面の簡単な説明】
【００１１】
【図１】図１は、第１実施形態に係るペンケースを分解した状態で示す斜視図である。
【図２】図２は、図１のペンケースのファスナーを開いた状態で示す斜視図である。
【図３】図３（ａ）及び図３（ｂ）は、図１のファスナーの端部の取り付け部分の拡大斜視図である。
【図４】図４は、図１のペンケースのファスナーを閉じた状態で示す斜視図である。
【図５】図５は、第２実施形態に係るペンケースの上面図である。
【図６】図６は、図５のペンケースの斜視図である。
【図７】図７は、第３実施形態に係るペンケースの斜視図である。
【図８】図８は、図７のペンケースを開いた状態で示す斜視図である。
【図９】図９は、第４実施形態に係るペンケースの斜視図である。
【発明を実施するための形態】
【００１２】
（第１実施形態）
図１は、本実施形態に係るペンケース１０を分解した状態で示す斜視図であり、図２は本実施形態のペンケース１０を開いた状態で示す斜視図である。
【００１３】
図１に示すように、本実施形態のペンケース１０は、皿状に形成された本体１と、本体１に取り付けられるファスナー２（開閉部材）とを備えてなる。
【００１４】
本体１は、四辺が円形に切り欠かれた略矩形状のエラストマーよりなり、中央付近は平坦な平坦部１１が形成されている。その平坦部１１の周りの周縁部１２が平坦部１１から立ち上がるように成形されている。
【００１５】
本体１を構成するエラストマーは、例えばシリコーンゴム等よりなり、柔軟性とともに弾力性を有している。このため、本体１を例えば図中のＡＡ線（以下、折目線とも呼ぶ）に沿って半分に折り曲げると、柔軟に変形して周縁部１２の一方の側辺である第１の側辺１２ａが他方の側辺である第２の側辺１２ｂに重なるように折り畳むことができる。この際に、エラストマーの弾力性によって折り癖が付きにくくなっている。
【００１６】
このような本体１の周縁部１２の第１の側辺１２ａ及び第２の側辺１２ｂにはファスナー２が縫い付けられている。
【００１７】
ファスナー２は、第１の務歯２３ａを備えた第１のテープ２３ｂと第２の務歯２４ａを備えた第２のテープ２４ｂと、スライダー２２とを備えている。このスライダー２２の移動にともなって第１の務歯２３ａと第２の務歯２４ａとが係合または解除されファスナー２が開閉する。
【００１８】
また、ファスナー２の上端及び下端には、それぞれスライダー２２の移動を規制する上止部２５及び下止部２１が設けられている。これらの上止部２５及び下止部２１では、第１の務歯２３ａと、第２の務歯２４ａとが噛み合った状態で縫い合わされて固定されている。
【００１９】
図２に示すように、ファスナー２の下止部２１は、本体１の折目線（ＡＡ線）の延長線上に沿って周縁部１２の外側に伸び出るように配置される。下止め部２１から延びる第１のテープ２３ｂ及び第２のテープ２４ｂは、本体１の周縁部１２と折目線（ＡＡ線）との交差部分で分離している。分離した第１のテープ２３ｂは周縁部１２の第１の側辺１２ａに沿って縫い付けられている。また、第２のテープ２４ｂは周縁部１２の第２の側辺１２ｂに沿って縫い付けられている。第１のテープ２３ｂ及び第２のテープ２４ｂは、周縁部１２と折目線（ＡＡ線）との他方の交差部分において合流し下止部２１で合流する。下止部２１は、本体１の周縁部１２の内側に折り込まれた状態で本体１に縫い付けられている。
【００２０】
図３（ａ）、（ｂ）は、ファスナー２の下止部２１及び上止部２５の本体１への取り付け方法を示す拡大斜視図である。
【００２１】
図３（ａ）に示すように、下止部２１は本体１の周縁部１２の外側に伸び出るように取り付けられている。ここでは、ファスナー２の第１のテープ２３ｂと第２のテープ２４ｂとの分離部分を、折目線（ＡＡ線）と周縁部１２との交差部分に合わせるとともに、下止め部２１を周縁部１２の外側に９０°折り曲げた状態で配置する。その後、第１のテープ２３ｂ及び第２のテープ２４ｂを周縁部１２に縫い込むことにより、下止部２１の取り付けを行うことができる。
【００２２】
なお、図示の例のように下止部２１の周囲に厚手の布又は皮などを被せて縫い付けることによりペンケース１０のストラップとしてもよい。
【００２３】
一方、図３（ｂ）に示すように、上止部２５は本体１の周縁部１２の内側に向けて取り付けられている。上止部２５は、第１のテープ２３ｂ及び第２のテープ２４ｂの合流部を折目線（ＡＡ線）と周縁部１２の交差部分に合わせるとともに、上止部を周縁部１２の内側に向けて９０°折り曲げて配置する。その後、第１のテープ２３ｂ及び第２のテープ２４ｂを周縁部１２に縫い込むことで下止部２５を取り付けることができる。
【００２４】
以上のようなペンケース１０において、ファスナー２のスライダー２２を下止部２１側から上止部２５側に移動させるとファスナー２が閉じる。
【００２５】
図４は、ペンケース１０を閉じた状態で示す斜視図である。
【００２６】
ファスナー２を閉じると、図示のように、本体１が折目線（ＡＡ線）付近で折れ曲がって両側の周縁部１２が重ね合わさるようにして固定される。ペンケース１０は、本体１の平坦部１１及び周縁部１２によって閉塞された袋状の形態となり、その内部にペンなどの収容物を保持できる。
【００２７】
本実施形態のペンケース１０では、本体１が柔軟かつ弾力性に富むエラストマーによって形成されており、さらに周縁部１２が平坦部から立ち上がるように形成されることで折目線付近が比較的緩やかな曲率で折れ曲がる。これにより、ファスナー２を閉じた状態であっても折り癖が付きにくくなっている。
【００２８】
また、周縁部１２が平坦部１１から立ち上がるように形成されている分だけ、内部の空間の容積が増大しより多くの筆記具を収容することができるようになっている。
【００２９】
さらに、ファスナー２のスライダー２２を下止部２１に移動させるとファスナー２が開き、それに合わせて図２に示すように本体１の弾性的な復元力により皿状のペントレイの形態に徐々に変形する。
【００３０】
本実施形態のペンケース１０は、平坦部１１から立ち上がった周縁部１２によって覆われた状態から周縁部１２が壁のように立ち上がったペントレイの形態にスムーズに変形する。その際に、収容したペンなどの収容物の転落を周縁部１２で防ぐことができる。
【００３１】
（第２実施形態）
以下、第２実施形態に係るペンケース３０について説明する。なお、ペンケース３０において、図１〜図４を参照しつつ説明したペンケース１０と同様の構成部材には同じ符号を付してその詳細な説明は省略する。
【００３２】
図５は、第２実施形態に係るペンケース３０を、ファスナー２を閉じた状態で示す上面図である。
【００３３】
図５に示すように、本実施形態のペンケース３０は、ファスナー２のスライダー２２の動きを規制するスライダー規制手段としてストッパー３１を備えている点で、図１〜図４を参照しつつ説明したペンケース１０と異なる。
【００３４】
ストッパー３１は、スライダー２２の移動を妨げることで、本体１の弾性力によってファスナー２が勝手に開いてしまうのを防止するために設けられている。
【００３５】
図示のようにストッパー３１はファスナー２の下止部２１寄りの部分に設けられている。ペンケース３０の本体１の第１の側辺１２ａから延び出た第１の突出部３１ａと、それに対向する第２の側辺１２ｂから第２の突出部３１ｂとにより構成されている。
【００３６】
第１の突出部３１ａ及び第２の突出部３１ｂは、本体１と同様の弾性素材のシートよりなり、本体１の周縁部１２の第１の側辺１２ａ及び第２の側辺１２ｂにそれぞれ接合されている。なお、第１の突出部３１ａ及び第２の突出部３１ｂは、本体１と一体的に形成したものであってもよい。
【００３７】
第１の突出部３１ａ及び第２の突出部３１ｂは、スライダー２２の移動経路に干渉することで、スライダー２２の移動を妨げる。なお、スライダー２２を所定の力で引っ張ると、第１の突出部３１ａ及び第２の突出部３１ｂが弾性変形することでスライダー２２を通過させることもできる。
【００３８】
図６は、本実施形態のペンケース３０の斜視図である。
【００３９】
図６に示すように、本実施形態のペンケース３０では、突出部３１ａ、３１ｂよりなるストッパー３１を設けたことにより、ファスナー２のスライダー２２が突出部３１ａ、３１ｂに引っかかる。
【００４０】
このとき、本体１の弾性的な復元力により、ファスナー２には開こうとする力が作用し、スライダー２２を下止部２１側に移動させる力が働くが、第１の突出部３１ａ及び第２の突出部３１ｂがスライダー２２の移動を妨げる。
【００４１】
これにより、図示のようにペンケース３０は、一端がファスナー２で閉じられた半開きの状態に保たれる。これにより、ファスナー２が閉じた部分でペンケース３０内の収容物を包むように保持して転落を防ぐことができる。また、ファスナー２が開いた部分がトレイ状に変形しているため、ペンなどの収容物を取りだしやすい。
【００４２】
さらに、ファスナー２を全開する場合に比べて、ペンケース３０を閉じやすい状態となっている。これにより、机上に置いて使用した後に、素早くペンケース３０を閉じることができる。
【００４３】
（第３実施形態）
以下、第３実施形態に係るペンケース４０について説明する。なお、ペンケース４０において、図１〜図４を参照しつつ説明したペンケース１０と同様の構成部材には同じ符号を付してその詳細な説明は省略する。
【００４４】
図７及び図８は、第３実施形態に係るペンケースの斜視図である。
【００４５】
図７に示すように、本実施形態のペンケース４０は、ファスナー２（図１参照）に変えてゴムバンド４１とボタン４２とにより本体１を閉じた状態に保つ。
【００４６】
本実施形態の開閉部材としてのゴムバンド４１及びボタン４２は、本体１の外側の面に取り付けられており、ゴムバンド４１をボタン４２に引っ掛けることで、本体１の折目線
（ＡＡ線）を挟んだ周縁部１２の第１の側辺１２ａ及び第２の側辺１２ｂを対向させるようにして本体１が閉じ、その内部に収容物を包み込んで保持することができる。
【００４７】
図８に示すように、ゴムバンド４１をボタン４２から外すと、本体１の弾性的な復元力によって皿状の形態に戻る。これにより、ペンケース４０を机上に設置してペントレイとして使用することができる。
【００４８】
（第４実施形態）
以下、第４実施形態に係るペンケース５０について説明する。なお、ペンケース５０において、図１〜図４を参照しつつ説明したペンケース１０と同様の構成部材には同じ符号を付してその詳細な説明は省略する。
【００４９】
図９は、第４実施形態に係るペンケースの斜視図である。
【００５０】
図９に示すように、本実施形態のペンケース５０は、本体１の周縁部１２の内側に縫い付けられたファスナー２を備えている。
【００５１】
ペンケース５０では、ファスナー２の上止部５５を周縁部１２の内側に折り返して縫い付ける処理に代えて、第１の側辺１２ａ及び第２の側辺１２ｂとの合流部においてファスナー２の第１のテープ２３ｂの終端部と第２のテープ２４ｂの終端部とを突き合わせるように縫い付けている。その上止部５５において、務歯２３ａ及び務歯２４ａを接着剤などの結合手段により互いに結合させている。
【００５２】
このようなペンケース５０において、ファスナー２のスライダー２２を上止部５５側に移動させると、ペンケース５０が閉じられてゆく。ファスナー２２のスライド動作は、務歯２３ａ及び務歯２４ａが結合されている上止部５５付近で止まり、ペンケース５０が完全に閉じた状態となる。
【００５３】
以上のように、本実施形態のペンケース５０においても、ファスナー２のスライダー２２の動作によってペントレイの形態からペンケースの形態にスムーズに変形することができ、収容したペンなどの収容物の転落を周縁部１２で防ぐことができる。
【符号の説明】
【００５４】
１…本体、２…ファスナー、１０、３０、４０…ペンケース、１１…平坦部、１２…周縁部、１２ａ…第１の側辺、１２ｂ…第２の側辺、２１…下止部、２２…スライダー、２３ａ、２４ａ…務歯、２３ｂ…第１のテープ、２４ｂ…第２のテープ、２５…上止部、２６…縫目、３１…ストッパー、３１ａ、３１ｂ…突出部、４１…ゴムバンド、４２…ボタン。
【図１】
2019068898.tif 000003
【図２】
2019068898.tif 000004
【図３】
2019068898.tif 000005
【図４】
2019068898.tif 000006
【図５】
2019068898.tif 000007
【図６】
2019068898.tif 000008
【図７】
2019068898.tif 000009
【図８】
2019068898.tif 000010
【図９】
2019068898.tif 000011